【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
正極タブ及び負極タブを有する電極体と、電解質と、ラミネート外装を備えたラミネート素電池において、該ラミネート外装の封止部の折り曲げ部には、ブチル系ゴムが施されていることを特徴とするラミネート素電池。
【請求項２】
前記ラミネート外装は三方封止のものであり、前記ブチル系ゴムは前記折り曲げ部のボトム部に施されていることを特徴とする請求項１に記載のラミネート素電池
【請求項３】
前記ラミネート外装はカップ式に成型されているものであることを特徴とする請求項２に記載のラミネート素電池。
【請求項４】
前記ブチル系ゴムによりラミネートフィルムの折り曲げ部全体にわたって固定されていることを特徴とする請求項１〜３のいずれかに記載のラミネート素電池。
【請求項５】
前記電極体は、正極と、負極とを、セパレータを介して積層巻回した後、押し潰して製造した偏平な巻回電極体からなり、前記ラミネート外装はアルミラミネートフィルムからなることを特徴とする請求項１〜４にいずれかに記載のラミネート素電池。
【手続補正２】
【補正対象書類名】明細書
【補正対象項目名】００１３
【補正方法】変更
【補正の内容】
【００１３】
本発明の上記目的は、以下の構成により達成することができる。すなわち、本願の請求項１に係るラミネート素電池の発明は、正極タブ及び負極タブを有する電極体と、電解質と、ラミネート外装を備えたラミネート素電池において、該ラミネート外装の封止部の折り曲げ部にはブチル系ゴムが施されていることを特徴とする。この場合、ラミネート素電池としては、リチウム非水電解質二次電池を好適に使用し得る。
【手続補正３】
【補正対象書類名】明細書
【補正対象項目名】００１４
【補正方法】変更
【補正の内容】
【００１４】
本願の請求項２に係る発明は、請求項１に記載の前記ラミネート素電池において、前記ラミネート外装は三方封止のものであり、前記ブチル系ゴムは前記折り曲げ部のボトム部に施されていることを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
本願の請求項４に係る発明は、請求項１〜３のいずれかに記載のラミネート素電池において、前記ブチル系ゴムによってラミネートフィルムの折り曲げ部が全体にわたって固定されていることを特徴とする。
【手続補正８】
【補正対象書類名】明細書
【補正対象項目名】００２０
【補正方法】変更
【補正の内容】
【００２０】
本願の請求項５に係る発明は、請求項１〜４のいずれかに記載のラミネート素電池において、前記電極体は、正極と、負極とを、セパレータを介して積層巻回した後、押し潰して製造した偏平な巻回電極体からなり、前記ラミネート外装はアルミラミネートフィルムからなることを特徴とする。
【手続補正９】
【補正対象書類名】明細書
【補正対象項目名】００２１
【補正方法】変更
【補正の内容】
【００２１】
本発明は上記の構成を備えることにより以下に述べるような優れた効果を奏する。すなわち、前記請求項１に記載のラミネート素電池の発明によれば、ラミネート外装の折り曲げ部にブチル系ゴムが施されていることにより、取り扱い中に応力がかかった場合においても、折り曲げに弱い部分は、ブチル系ゴムによって補強されているために強度が保たれているので動くことが少なくなってクラックの発生にまで至ることが少なく、信頼性の高いラミネート素電池を得ることができる。
また、ブチル系ゴムは弾性樹脂であるから、ラミネート素電池の取り扱いに際し外力が加えられてもそのまま折り曲げ部に力が加わることがなくなるので、クラックの発生が少なくなる。
さらに、ブチル系ゴムは非常に弾力があるので、ラミネート外装が変形したときに変形に対応して追随することが可能となり、クラックの発生を防止することができ、信頼性の高いラミネート素電池を得ることができる。
さらにまた、ラミネートとの接着性がよく、更に水分透過性が低く、熱膨張係数も小さいため、仮にサイド封止部とボトム部との境界部分にクラックが生じたとしてもクラックが発生した部位をブチル系ゴムが覆うことにより水分侵入を抑制するので、ラミネート素電池が破損に至ることが少なくなる。
【手続補正１０】
【補正対象書類名】明細書
【補正対象項目名】００２２
【補正方法】変更
【補正の内容】
【００２２】
また、請求項２に記載のラミネート素電池によれば、ラミネート外装は三方封止のものである場合、ラミネートの折り曲げ部を折り返す部分においてクラックが発生しやすいので、その最もクラックの入りやすいラミネート外装の折り曲げ部のボトム部がブチル系ゴムで補強されているので、より効果的にクラックの発生を防止することができる。
【手続補正１１】
【補正対象書類名】明細書
【補正対象項目名】００２３
【補正方法】変更
【補正の内容】
【００２３】
また、請求項３に記載のラミネート素電池によれば、ラミネート外装がカップ式に形成されていると、ボトム部の面積が大きくなっているために、特にサイド封止部とボトム部との境界部分に折り目が入りやすく、またこの部分はアルミラミネートフィルムも薄くなっているので、この境界部分に最もクラックが入りやすいが、少なくともこの境界部分ががブチル系ゴムで補強されているので、有効にクラックの発生を防止することができる。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】変更
【補正の内容】
【００２７】
また、請求項５に記載のラミネート素電池によれば、汎用的に使用されている偏平な巻回電極体及びアルミラミネートフィルムを使用しているから、安価、小型かつ軽量でありながら、信頼性の高いラミネート素電池が得られる。
【手続補正１６】
【補正対象書類名】明細書
【補正対象項目名】００２９
【補正方法】変更
【補正の内容】
【００２９】
以下、図１〜図３を参照して本発明の実施例及び比較例を詳細に説明するが、両者の相違点は折り曲げ部に使用するブチル系ゴムの有無のみであって、実施例１、２及び比較例で使用するラミネート素電池そのものの構成は実質的に同一である。したがって、ラミネート素電池そのものの構成は図１を参照して説明することとし、また、図２及び図３においては図１と同一の構成部分には同一の参照符号を付与してその詳細な説明は省略する。なお、図１はラミネート素電池を示し、図１（ａ）は正面図、図１（ｂ）は底面図であり、図２は実施例１のラミネート素電池のラミネート外装の第１及び第２のサイド封止部を折り曲げる前の正面図、図３は実施例２のラミネート素電池のラミネート外装の第１及び第２のサイド封止部を折り曲げる前の正面図である。
【手続補正１７】
【補正対象書類名】明細書
【補正対象項目名】００４０
【補正方法】変更
【補正の内容】
【００４０】
また、本発明においてラミネート素電池に使用する補強用のブチル系ゴムは、非常に弾力性があり、ラミネート外装が変形したとき、変形に対応して柔軟に追随することが可能となるので、信頼性が高いものとなる。さらに、ラミネート外装との接着性がよく、さらに水分透過性が低く、熱膨張係数も小さいため、仮にサイド封止部とボトム部との境界部分にクラックが生じたとしてもクラックが発生した部位をブチル系ゴムが覆うことにより水分侵入を抑制するので、ラミネート素電池が破損に至ることが少なくなる。
【手続補正１８】
【補正対象書類名】明細書
【補正対象項目名】００４２
【補正方法】変更
【補正の内容】
【００４２】
１１０          ラミネート素電池
１１１          偏平な巻回電極体
１１２          正極タブ
１１３          負極タブ
１１４          ラミネートフィルム
１１５          シール材
１１６          シール材
１１７          トップ封止部
１１８          第１のサイド封止部
１１９          第２のサイド封止部
１２０          ラミネート外装
１２１          折り曲げ部のボトム部
１２２、１２３  ブチル系ゴム